(57)【特許請求の範囲】
【請求項１】
水抜き孔（３）を有する植栽用ブロック（１）の成形に際して、型枠（９）内に上記水抜き孔（３）を形成する突起部（１０）を相対向して突設し、各突起部（１０）先端部に設けたパッキン材（１１）間に植栽用充填材の流出を防止すべき網状体（４）又は多孔蓋（１７）を介在させて挟圧するとともに、パッキン材（１１）間から外方に突出させた上記網状体（４）又は多孔蓋（１７）の外周縁部を型枠（９）内に充填するコンクリートに埋設することを特徴とする植栽用ブロックの水抜き孔の形成方法。
【発明の詳細な説明】
【０００１】
【発明の属する技術分野】
本発明は植栽用ブロックの水抜き孔の形成方法に関するものであり、詳しくは、やすらぎのある環境、景観を創出すべく、街路、公園等、公共的施設やその他各種施設、工場、駐車場、その他広場等各種場所に設置される植栽用ブロックの水抜き孔の形成方法に関するものである。
【０００２】
【従来の技術】
従来、この種の植栽用ブロックは、平板状や湾曲板状のコンクリートブロックとなされ、適宜形状の枠状に連結施工されて枠内に植栽土を充填して地盤と連続する植栽域を形成したり、或いは有底鉢形状のコンクリートブロックとなされ、内部に充填した植栽土に植物を植栽するようになされており、いずれもその側壁に通気及び排水に供する横孔や、底部に排水のための水抜き孔が穿設され、時にはこれら孔の近傍に通気や水捌けを促進する各種の砕片や小石等（以下、粗骨材という）を配するとともに、かかる横孔や水抜き孔から植栽土や粗骨材等の流出を防止するために、これらの孔に対してネットや通水板等を配している。
【０００３】
【発明が解決しようとする課題】
しかしながら、かかる従来の植栽用ブロックにあっては、横孔や水抜き孔に対してネットや通水板を配して通気や排水性を確保することも行われているが、上記植栽域内やブロック内への植栽用充填材の投入時、経年による植栽用充填材の沈下時、又植物の根の広がり時等に、ネットや通水板が所定位置に留まらずに移動してしまい、植栽土や粗骨材等が横孔や水抜き孔から流出するという問題点があり、未だ安定した状態で通気や排水性が維持できていないのが現状である。
本発明はかかる従来の問題点に鑑みてなされたもので、安定した状態で通気や排水性が維持できる植栽用ブロックの水抜き孔の形成方法を提供することを課題とする。
【０００４】
【課題を解決するための手段】
上記課題を解決するため、本発明の植栽用ブロックの水抜き孔の形成方法は、水抜き孔３を有する植栽用ブロック１の成形に際して、型枠９内に上記水抜き孔３を形成する突起部１０を相対向して突設し、各突起部１０先端部に設けたパッキン材１１間に植栽用充填材の流出を防止すべき網状体４又は多孔蓋１７を介在させて挟圧するとともに、パッキン材１１間から外方に突出させた上記網状体４又は多孔蓋１７の外周縁部を型枠９内に充填するコンクリートに埋設することを特徴とする。
かかる本発明の植栽用ブロックの水抜き孔の形成方法によれば、型枠９内に水拔き孔３を形成する突起部１０を相対向して突設し、各突起部１０先端部に設けたパッキン材１１間に網状体４又は多孔蓋１７を介在させて挟圧するとともに、パッキン材１１間から外方に突出させた上記網状体４又は多孔蓋１７の外周縁部を型枠９内に充填するコンクリートに埋設するために、植栽用ブロック１の成形に際して、水抜き孔３の形成と同時に網状体４又は多孔蓋１７を水抜き孔３内に張設一体化することができるとともに、パッキン材１１が網状体４の網目又は多孔蓋１７の透孔内に弾性変形して食い込み、上記コンクリートによる前記網目又は透孔の目づまりを未然に防止することができる。
【０００５】
【発明の実施の形態】
以下、図面を参照しながら本発明の実施の形態について説明する。
図１は本発明に係る植栽用ブロックの一実施の形態を示し、１は本実施形態の植栽用ブロックであって、平面視だ円形状の枠形状をなす底部が開放されたコンクリート製のブロック本体２からなる。
該ブロック本体２は、同図（イ）乃至（ハ）に示すように、その外側壁上端部に、外側上隅部が円弧状に形成されてなる凸部５が周方向にわたって帯状に突設されるとともに、該凸部５上面を含む上端面がブロック本体２の内方に向かって下降する傾斜面６となされ、該ブロック本体２の外側壁中途部と下端部には、隅々に丸みを付してなる断面ほぼ台形状の凸部７が上記凸部５と並列して周方向にわたって帯状に突設されている。
【０００６】
又、上記ブロック本体２の側壁には下端から上側所望位置に円形の水抜き孔３が穿設され、該水抜き孔３内には、同図（ハ）及び（ニ）に示す如く、植栽用充填材の流出を防止する網状体４（又は後述の多孔蓋１７、以下同旨）がその外周縁部をブロック本体２内、詳しくは水抜き孔３の孔壁内に埋設して張設されている。上記網状体４（又は多孔蓋１７）は取替えの必要性をなくすために、例えばステンレス製、プラスチック製等の耐蝕性の優れたものが使用される。
しかして、本実施形態の植栽用ブロック１の使用に際しては、例えば図２に示すように、設置場所において、その下端部を適宜寸法分だけ地中に埋設して水抜き孔３を地面Ｇより上方に位置させ、ブロック本体２内に充填せる植栽土１６を地盤と連続させた後、植物１５を植栽するものであって、ブロック本体２内でその水位が上昇して余剰となる水が水抜き孔３から排水されるとともに、水抜き孔３の網状体４（又は多孔蓋１７）が通気窓となるものである。
【０００７】
上記植栽用ブロック１によれば、その施工に際して、植栽用充填材の流出を防止する網状体４（又は多孔蓋１７）を取付ける手間を省き、網状体４（又は多孔蓋１７）の位置を予め固定状態として、ブロック本体２内への植栽土１６の充填時、経年による植栽土１６の沈下時、又、植物１５の根の広がり時等にその位置ずれが防止されると同時に、水抜き孔３から植栽土１６の流出を確実に防止して通気及び排水性が維持される。
【０００８】
図３は本発明に係る植栽用ブロックの他実施の形態を示し、本実施形態の植栽用ブロック１は矩形状の平板形状をなすブロック本体２からなり、上記と略同様に、その外側壁上端部に、外側上隅部が円弧状に形成されてなる凸部５が長さ方向にわたって帯状に突設されるとともに、該凸部５上面を含む上端面がブロック本体２の内壁側に向かって下降する傾斜面６となされ、該ブロック本体２の外側壁中途部に、隅々に丸みを付してなる断面ほぼ台形状の凸部７を上記凸部５と並列して長さ方向にわたって帯状に突設している。
又、同図（イ）及び（ハ）に示す如く、上記ブロック本体２の外側壁ほぼ中央付近には円形の通気を主とした水抜き孔３が穿設され、該水抜き孔３内には、上記と同様、植栽用充填材の流出を防止する網状体４（又は多孔蓋１７）がその外周縁部を水抜き孔３の孔壁内に埋設して張設されている。
【０００９】
本実施形態の植栽用ブロック１の使用に際しては、例えば図４（イ）に示す如く、他の平板形状や湾曲板形状等の植栽用ブロック１′と組み合わせ連結されて植栽枠１８が形成されるとともに、同図（ロ）に示す如く、その下半部を地中に埋設して水抜き孔３を地面Ｇより上方に位置させ、形成された植栽枠１８内に充填せる植栽土１６を地盤と直接連続させた後、植物を植栽するものであって、上記枠内の余剰水が水抜き孔３から排水され、且つ水抜き孔３の網状体４（又は多孔蓋１７）が通気窓となるものである。
【００１０】
又、本実施形態の植栽用ブロック１においても、図１に示す植栽用ブロックと同様に、網状体４（又は多孔蓋１７）の位置を水抜き孔３内に固定し、水抜き孔３から植栽土１６の流出を確実に防止して通気及び排水性が維持される。
【００１１】
図５は本発明に係る植栽用ブロックの他実施の形態を示し、本実施形態の植栽用ブロック１は、平面視だ円形状の有底鉢形状をなすコンクリート製のブロック本体２からなる。
該ブロック本体２の外形状は上記図１に示す植栽用ブロックと同様に、その外側壁に凸部５，７及び上端面に傾斜面６を有し、又、ブロック本体２の側壁ではなく底部ほぼ中央部に、円形の水抜き孔３が穿設され、該水抜き孔３内には上記と同様に、同図（ハ）に示す如く、植栽用充填材の流出を防止する網状体４（又は多孔蓋１７）がその外周縁部を水抜き孔３の孔壁内に埋設して張設されるとともに、底部内面が水抜き孔３に向かって下降する緩傾斜面となされている。
【００１２】
本実施形態の植栽用ブロック１は、ブロック本体２内に植栽土を充填し、植物を植栽した際、ブロック本体２内の余剰水が底部の水抜き孔３から排水されるものであって、網状体４（又は多孔蓋１７）の位置を水抜き孔３内に固定して水抜き孔３からの植栽土の流出を確実に防止する。
【００１３】
又、図６は上記多孔蓋１７の例（この例では植栽用ブロック１の底部水抜き孔３の上縁段部３ａに係止されてなる）を示し、該多孔蓋１７は、薄手の円形板に多数穿設されてなる透孔群が、略矢印形透孔１７ａと該略矢印形透孔１７ａ間に介在せる略雨滴形透孔１７ｂとから形成され、各透孔１７ａ，１７ｂの最狭部が円形板の中心を夫々指向した放射状を呈してなるとともに、それらの間に残存する円形板の板部１７ｃの閉塞幅Ｂが各透孔１７ａ，１７ｂの最大開口幅ｂ以下となされている。
従って、植栽用ブロック１内で上記多孔蓋１７を植栽用材に臨ませれば、略矢印形透孔１７ａと略雨滴形透孔１７ｂとによる多孔蓋１７の透孔率が極めて大きくなって、かかる各透孔１７ａ，１７ｂを介して行われるべき植栽用材への通気や植栽用材からの排水が効率よく行われるとともに、前記各透孔１７ａ，１７ｂの最大開口幅ｂは、かかる多孔蓋１７に臨む植栽用材の主たる粒度（粒径）より稍小さく設定されてなるために、各透孔１７ａ，１７ｂへの植栽用材の目詰まりや、各透孔１７ａ，１７ｂからの植栽用材の流出漏れを確実に防止することができる。
【００１４】
次に、本発明の植栽用ブロック１の水抜き孔３の形成方法について、図７及び図１を参照しながら説明する。
図７において、９は上面開放型の型枠であって、基本的にだ円形状の縦筒状内型枠１２とその外周に組み付けた分割可能な外型枠１３とからなり、内型枠１２と外型枠１３間に形成される空隙にその上面開口部１４から生コンクリートを充填して硬化せしめることにより、上記図１に示した無底だ円枠形状のブロック本体２を成形しうるようになされている。又、該ブロック本体２の側壁に円形の水抜き孔３を形成するために、内型枠１２の外面と外型枠１３の内面にそれぞれ円錐台状の突起部１０が相対向して突設されるとともに、各突起部１０の先端部に弾性を有するゴム製等のパッキン材１１を取付け、該パッキン材１１どうしが圧接するようになされている。
【００１５】
しかして、上記型枠９の組立時に、図７（イ）及び（ロ）に示すように、相対向する突起部１０の先端部にあるパッキン材１１間に網状体４（又は前出の多孔蓋１７、以下同旨）を介在させて挟圧保持するとともに、網状体４（又は多孔蓋１７）の外周縁部をパッキン材１１間から外方に突出させておき、型枠９内、即ち内型枠１２と外型枠１３間の空隙に生コンクリートを充填することによって、網状体４（又は多孔蓋１７）の外周縁部を上記生コンクリート中に埋設し、養生硬化後に脱型することで、図１（ハ）及び（ニ）に示すように、両突起部１０によってブロック本体２の側壁に形成された水抜き孔３の孔壁内に、網状体４（又は多孔蓋１７）がその外周縁部を埋設して張設一体化されるものである。
【００１６】
尚、脱型の都合上、少なくとも内型枠１２側の突起部１０はねじ止め等の適宜方法により着脱自在としておき、脱型に際して内型枠１２の内側で該突起部１０と内型枠１２との固定を外し、型枠９を上下反転させて内型枠１２を抜き上げた後、外型枠１３を横方向に外すとともに、コンクリート内に残存せる上記突起部１０を取り外すものである。尚又、型枠９内にはブロック本体２を補強するために予め所定形状に形成した補強用鉄筋を挿入する場合もある。
上記水抜き孔３の形成方法は、ブロック本体２の成形に際して、水抜き孔３の形成と同時に、網状体４（又は多孔蓋１７）を水抜き孔３内に張設し、その際、両側から圧接するパッキン材１１が網状体４の網目（又は多孔蓋１７の透孔１７ａ，１７ｂ）に食い込み、かかる圧接部を網状体４（又は多孔蓋１７）を含めて水密状となして型枠９内に充填した生コンクリートが網状体４の網目（又は多孔蓋１７の透孔１７ａ，１７ｂ）に目づまりするのを防止し、又、パッキン材１１間から外方に突出する網状体４（又は多孔蓋１７）の外周縁部を生コンクリートで取り巻いて固定し、網状体４（又は多孔蓋１７）の通気、通水及び一体性を良好な状態で維持するものである。
【００１７】
尚、上記植栽用ブロック１に関して、ブロック本体２の外側壁の凸部５，７の断面形状や凸部７の突設数は上記実施形態に限定されないし、又、上端部の凸部５のみが突設されたり、或いは場合によっては凸部５，７が突設されていなくともよい。
【００１８】
又、水抜き孔３も上記実施形態では円形で１個となされているが、これに限定されず、だ円形、三角形、矩形、多角形等種々の形状で複数個設けられてもよいし、その穿設箇所もブロック本体２の側壁及び／又は底部であればよい。
さらに、網状体４や多孔蓋１７についても円形、だ円形、三角形、矩形、多角形等各種形状であってもよく、網状体４にあっては各種網目形状のもの、多孔プレート等汎用の通気及び透水性を有するものが使用でき、少なくともその外周縁部が水拔き孔３の孔壁に埋設一体化されればよく、又、多孔蓋１７にあっては、相接する植栽土１６、粗骨材等の植栽用材の粒度（粒径）に相応して、各透孔１７ａ，１７ｂの最大開口幅ｂが設定されればよいし、透孔１７ａ，１７ｂの具体的形状も適宜でよく、それらの材質はステンレス鋼が耐蝕性の面で好ましいが、耐蝕性や曲げ強度等を有する他の金属、合成樹脂等適宜材質であってもよい。
【００１９】
尚又、上記植栽用ブロック１の水抜き孔３の形成方法に関して、各突起部１０は上記水抜き孔３の形状に適合する形状となされればよいし、パッキン材１１も網状体４の網目や多孔蓋１７の透孔に沿って弾性変形しうる柔軟性を有するものであればよい。又、該水抜き孔３の形成方法は、型枠９によって成形する植栽用ブロック１の形状を上記実施形態の平面視だ円形状のものに限定することなく、平面視円形、矩形、多角形状等各種形状の無底枠形状や有底鉢形状の他、平板状、湾曲又は屈折板状等種々の形状としてもよい。
【００２０】
【発明の効果】
本発明の植栽用ブロックの水抜き孔の形成方法は、型枠内に水抜き孔を形成する突起部を相対向して突設し、各突起部の先端部に設けたパッキン材間に網状体又は多孔蓋を介在させて挟圧するとともに、パッキン材間から外方に突出させた上記網状体又は多孔蓋の外周縁部を型枠内に充填するコンクリートに埋設するために、植栽用ブロックの成形に際して、水抜き孔の形成と同時に網状体又は多孔蓋を水抜き孔内に張設一体化することができるとともに、パッキン材が網状体の網目又は多孔蓋の透孔内に弾性変形して食い込み、上記コンクリートによる前記網目又は透孔の目づまりを防止することができる。
【図面の簡単な説明】
【図１】  本発明に係る植栽用ブロックの一実施形態を示し、（イ）は平面図、（ロ）の左半部は半截正面図、（ロ）の右半部は半截断面図、（ハ）の左半部は半截側面図、（ハ）の右半部は半截断面図、（ニ）は（ハ）のＡ部拡大図。
【図２】  図１の植栽用ブロックの使用例を示す断面図。
【図３】  本発明に係る植栽用ブロックの他実施形態を示し、（イ）は正面図、（ロ）は側面図、（ハ）は（イ）のＢ−Ｂ断面図。
【図４】  図３の植栽用ブロックの使用例を示し、（イ）は一部平面図、（ロ）は（イ）のＣ−Ｃ断面図。
【図５】  本発明に係る植栽用ブロックの他実施形態を示し、（イ）は平面図、（ロ）は正面図、（ハ）は（ロ）のＤ−Ｄ断面図。
【図６】多孔蓋の例（植栽用ブロックの水抜き孔を多孔蓋で覆った状態）を示し、（イ）は拡大平面図、（ロ）は（イ）のＦ−Ｆ断面図。
【図７】  本発明の植栽用ブロックの水抜き孔の形成方法の一実施形態を示し、（イ）は型枠の断面図、（ロ）は（イ）のＥ部拡大図。
【符号の説明】
１  植栽用ブロック
２  ブロック本体
３  水抜き孔
３ａ  上縁段部
４  網状体
５，７  凸部
６  傾斜面
９  型枠
１０  突起部
１１  パッキン材
１６  植栽土
１７  多孔蓋
１７ａ  略矢印形透孔
１７ｂ  略雨滴形透孔
１７ｃ  板部
Ｂ  閉塞幅
ｂ  最大開口幅
【図１】
0003740678.tif 000002
【図２】
0003740678.tif 000003
【図３】
0003740678.tif 000004
【図４】
0003740678.tif 000005
【図５】
0003740678.tif 000006
【図６】
0003740678.tif 000007
【図７】
0003740678.tif 000008